(57)【要約】【課題】本発明は、肌表面の画像から解析された肌状態の情報に基づいて、スキンケア情報を報知可能な携帯電子機器を提供することを目的とする。【解決手段】携帯電話機１は、所定の情報を報知可能な表示部２１と、肌に関する情報を取得可能なカメラ部３０部と、取得された情報から肌の状態を解析可能な肌状態解析部１２０と、肌情報を記憶する肌情報記憶部１６２と、スケジュール情報を記憶するスケジュール情報記憶部１６４と、肌情報とスケジュール情報とに基づいて、スキンケア情報を作成するスキンケア情報作成部１２２と、表示部２１に対してスキンケア情報を報知させるスキンケア情報報知指示部１２４と、を備える。【選択図】図３
2010199756.tif 000002
【特許請求の範囲】
【請求項１】
所定の情報を報知可能な報知部と、
肌に関する情報を取得する情報取得部と、
前記情報取得部により取得された肌に関する情報から肌の状態を解析可能な肌状態解析部と、
前記肌状態解析部により解析された肌の状態についての肌情報を記憶する肌情報記憶部と、
スケジュール情報を記憶するスケジュール情報記憶部と、
前記肌情報記憶部に記憶される前記肌情報と、前記スケジュール情報記憶部に記憶される前記スケジュール情報とに基づいて、スキンケア情報を作成するスキンケア情報作成部と、
前記報知部に対して、前記スキンケア情報作成部により作成された前記スキンケア情報を報知させるスキンケア情報報知指示部と、を備える
携帯電子機器。
【請求項２】
時間情報を取得可能な時間情報取得部と、を備え、
前記スキンケア情報報知指示部は、前記時間情報取得部により取得された情報に基づいて、所定のタイミングで前記報知部に前記スキンケア情報を報知させる
請求項１に記載の携帯電子機器。
【請求項３】
位置情報を取得可能な位置情報取得部、及び／又は、移動情報を取得可能な移動情報取得部と、
前記位置情報取得部により取得された位置情報、及び／又は、前記移動情報取得部により取得された移動情報により、所定の移動装置上に配置されていることを検知可能な検知部と、を備え、
前記検知部により前記所定の移動装置上に配置されていることが検知された場合、
前記スキンケア情報作成部は、前記スキンケア情報を補助するスキンケア補助情報を作成し、
前記スキンケア情報報知指示部は、前記報知部に前記スキンケア補助情報を報知させる
請求項１又は２に記載の携帯電子機器。
【請求項４】
所定の情報を報知可能な報知部と、
肌に関する情報を取得する情報取得部と、
前記情報取得部により取得された肌に関する情報から肌の状態を解析可能な肌状態解析部と、
前記肌状態解析部により解析された肌の状態についての肌情報を記憶する肌情報記憶部と、
位置情報を取得可能な位置情報取得部と、
時間情報を取得可能な時間情報取得部と、
前記肌情報記憶部に記憶される前記肌情報と、前記位置情報取得部により取得される位置情報と、前記時間情報取得部により取得された時間情報とに基づいて、スキンケア情報を作成するスキンケア情報作成部と、
前記報知部に対して、前記スキンケア情報作成部により作成された前記スキンケア情報を報知させるスキンケア情報報知指示部と、を備える
携帯電子機器。
【請求項５】
スケジュール情報を記憶するスケジュール情報記憶部と、を備え、
前記スキンケア情報作成部は、前記肌情報と、前記位置情報と、前記時間情報とに加え、前記スケジュール情報記憶部に記憶されたスケジュール情報における撮像後から所定時間内に対応するスケジュール情報と、に基づいて前記スキンケア情報を作成する
請求項４に記載の携帯電子機器。
【請求項６】
所定の情報を報知可能な報知部と、
肌に関する情報を取得する情報取得部と、
前記情報取得部により取得された肌に関する情報から肌の状態を解析可能な肌状態解析部と、
前記肌状態解析部により解析された肌の状態についての肌情報を記憶する肌情報記憶部と、
位置情報を取得可能な位置情報取得部と、
基準位置情報を記憶する基準位置情報記憶部と、
前記基準位置情報記憶部に記憶される基準位置情報と、前記位置情報取得部により取得された位置情報とを比較して、取得された位置情報により特定される第１位置が基準位置情報により特定される基準位置であるか否かを判定する位置判定部と、
前記第１位置を含む所定地域の第１天気情報を取得可能な天気情報取得部と、
前記天気情報取得部により取得された前記第１天気情報に基づいて、化粧料情報を含むスキンケア情報を作成するスキンケア情報作成部と、
前記位置判定部により前記第１位置が前記基準位置とは異なると判定された場合、前記第１位置の位置情報と、前記スキンケア情報作成部により作成された前記スキンケア情報に含まれる前記化粧料情報と基づいて、所定の店舗情報を取得可能な店舗情報取得部と、
前記報知部に対して、前記スキンケア情報作成部により作成された前記スキンケア情報を報知させるスキンケア情報報知指示部と、
前記報知部に対して、前記店舗情報取得部により取得された前記店舗情報を報知させる店舗情報報知指示部と、を備える
携帯電子機器。
【請求項７】
天気情報の入力を受け付け可能な天気情報入力部と、を備え、
前記天気情報入力部により受け付けられた第２天気情報が前記天気情報取得部により取得された前記第１天気情報と異なる場合、
前記スキンケア情報作成部は、前記天気情報入力部により入力された前記第２天気情報に基づいて、前記スキンケア情報の内容を変更する
請求項６に記載の携帯電子機器。
【請求項８】
所定の情報を報知可能な報知部と、
肌に関する情報を取得する情報取得部と、
前記情報取得部により取得された肌に関する情報から肌の状態を解析可能な肌状態解析部と、
前記肌状態解析部により解析された肌の状態についての肌情報を記憶する肌情報記憶部と、
スケジュール情報を記憶するスケジュール情報記憶部と、
前記スケジュール情報記憶部に記憶されるスケジュール情報に含まれる所定のイベント情報を選択する選択部と、
前記選択部により選択された前記所定のイベント情報までの期間に関する情報である期間情報を取得する期間情報取得部と、
前記肌情報記憶部に記憶される前記肌情報と、前記期間情報取得部により取得された前記期間情報とに基づいて、スキンケア計画を含むスキンケア情報を作成するスキンケア情報作成部と、
前記報知部に対して、前記スキンケア情報作成部により作成された前記スキンケア情報を報知させるスキンケア情報報知指示部と、を備える
携帯電子機器。
【請求項９】
前記スキンケア情報作成部により前記スキンケア計画を含むスキンケア情報が作成された後、前記肌情報記憶部に新たな肌情報が記憶された場合、
前記スキンケア情報作成部は、前記新たな肌情報と、前記期間情報とに基づいて、前記スキンケア計画を修正する
請求項８に記載の携帯電子機器。
【請求項１０】
取得した肌に関する情報から当該肌の状態を解析する肌状態解析部と、
スケジュール情報を記憶する記憶部と、
前記肌状態解析部により解析された肌の状態についての肌情報と、前記記憶部に記憶されたスケジュール情報に基づいて、スキンケア情報を作成するスキンケア情報作成部と、
前記スキンケア情報作成部により作成されたスキンケア情報を報知する報知部と、
を備えるシステム。
【請求項１１】
第１の端末と、前記第１の端末と通信可能な外部サーバと、を備えるシステムであって、
前記第１の端末は、
スキンケア情報を報知可能な報知部と、
肌に関する情報を取得する情報取得部と、
スケジュール情報を記憶するスケジュール情報記憶部と、を備え、
前記第１の端末又は前記外部サーバのいずれかは、
前記情報取得部により得られた肌に関する情報から肌の状態を解析可能な肌状態解析部を備え、
前記外部サーバは、
前記肌状態解析部により解析された肌の状態についての肌情報と前記スケジュール情報とに基づいて、スキンケア情報を作成するスキンケア情報作成部を備えるシステム。
【発明の詳細な説明】
【技術分野】
【０００１】
本発明は、携帯電話機等の携帯電子機器に関する。
【背景技術】
【０００２】
従来、肌の表面を撮像した画像を解析して肌の診断を行う装置が存在する。
また、近年、携帯電子機器としての携帯電話機には、カメラ機能を有するものが多く存在する。
ここで、カメラ付き携帯端末（携帯電話機）に搭載されたカメラにより肌表面の画像を撮像して、撮像された画像を解析することで、肌の状態を診断するシステムが提案されている（例えば、特許文献１参照）。
また、肌に関する情報を取得するために、水分量、油分量等を検出することも行なわれている（例えば、特許文献２、３、４参照）。
【先行技術文献】
【特許文献】
【０００３】
【特許文献１】特開２００７−１７５４９６号公報
【特許文献２】特開平１−１２６５３５号公報
【特許文献３】特開２００６−８１８４７号公報
【特許文献４】特開平９−２０６２８２号公報
【発明の概要】
【発明が解決しようとする課題】
【０００４】
しかし、特許文献１におけるシステムにおいて、肌の状態を診断するだけで、スキンケアをどうすればよいかという提案はなされない。
特に、ユーザのスケジュールや、診断したときの場所、時間、その後の天気等の要素を鑑みたスキンケアの提案がなされないという問題があった。
【０００５】
本発明は、肌表面の画像や水分量、油分量等から解析された肌状態の情報に基づいて、スキンケア情報を報知可能な携帯電子機器を提供することを目的とする。
【課題を解決するための手段】
【０００６】
本発明は、所定の情報を報知可能な報知部と、肌に関する情報を取得する情報取得部と、前記情報取得部により取得された肌に関する情報から肌の状態を解析可能な肌状態解析部と、前記肌状態解析部により解析された肌の状態についての肌情報を記憶する肌情報記憶部と、スケジュール情報を記憶するスケジュール情報記憶部と、前記肌情報記憶部に記憶される前記肌情報と、前記スケジュール情報記憶部に記憶される前記スケジュール情報とに基づいて、スキンケア情報を作成するスキンケア情報作成部と、前記報知部に対して、前記スキンケア情報作成部により作成された前記スキンケア情報を報知させるスキンケア情報報知指示部と、を備える携帯電子機器に関する。
【０００７】
また、時間情報を取得可能な時間情報取得部と、を備え、前記スキンケア情報報知指示部は、前記時間情報取得部により取得された情報に基づいて、所定のタイミングで前記報知部に前記スキンケア情報を報知させることが好ましい。
【０００８】
また、位置情報を取得可能な位置情報取得部、及び／又は、移動情報を取得可能な移動情報取得部と、前記位置情報取得部により取得された位置情報、及び／又は、前記移動情報取得部により取得された移動情報により、所定の移動装置上に配置されていることを検知可能な検知部と、を備え、前記検知部により前記所定の移動装置上に配置されていることが検知された場合、前記スキンケア情報作成部は、前記スキンケア情報を補助するスキンケア補助情報を作成し、前記スキンケア情報報知指示部は、前記報知部に前記スキンケア補助情報を報知させることが好ましい。
【０００９】
本発明は、所定の情報を報知可能な報知部と、肌に関する情報を取得する情報取得部と、前記情報取得部により取得された肌に関する情報から肌の状態を解析可能な肌状態解析部と、前記肌状態解析部により解析された肌の状態についての肌情報を記憶する肌情報記憶部と、位置情報を取得可能な位置情報取得部と、時間情報を取得可能な時間情報取得部と、前記肌情報記憶部に記憶される前記肌情報と、前記位置情報取得部により取得される位置情報と、前記時間情報取得部により取得された時間情報とに基づいて、スキンケア情報を作成するスキンケア情報作成部と、前記報知部に対して、前記スキンケア情報作成部により作成された前記スキンケア情報を報知させるスキンケア情報報知指示部と、を備える携帯電子機器に関する。
【００１０】
また、スケジュール情報を記憶するスケジュール情報記憶部と、を備え、前記スキンケア情報作成部は、前記肌情報と、前記位置情報と、前記時間情報とに加え、前記スケジュール情報記憶部に記憶されたスケジュール情報における撮像後から所定時間内に対応するスケジュール情報と、に基づいて前記スキンケア情報を作成することが好ましい。
【００１１】
本発明は、所定の情報を報知可能な報知部と、肌に関する情報を取得する情報取得部と、前記情報取得部により取得された肌に関する情報から肌の状態を解析可能な肌状態解析部と、前記肌状態解析部により解析された肌の状態についての肌情報を記憶する肌情報記憶部と、位置情報を取得可能な位置情報取得部と、基準位置情報を記憶する基準位置情報記憶部と、前記基準位置情報記憶部に記憶される基準位置情報と、前記位置情報取得部により取得された位置情報とを比較して、取得された位置情報により特定される第１位置が基準位置情報により特定される基準位置であるか否かを判定する位置判定部と、前記第１位置を含む所定地域の第１天気情報を取得可能な天気情報取得部と、前記天気情報取得部により取得された前記第１天気情報に基づいて、化粧料情報を含むスキンケア情報を作成するスキンケア情報作成部と、前記位置判定部により前記第１位置が前記基準位置とは異なると判定された場合、前記第１位置の位置情報と、前記スキンケア情報作成部により作成された前記スキンケア情報に含まれる前記化粧料情報と基づいて、所定の店舗情報を取得可能な店舗情報取得部と、前記報知部に対して、前記スキンケア情報作成部により作成された前記スキンケア情報を報知させるスキンケア情報報知指示部と、前記報知部に対して、前記店舗情報取得部により取得された前記店舗情報を報知させる店舗情報報知指示部と、を備える携帯電子機器に関する。
【００１２】
また、天気情報の入力を受け付け可能な天気情報入力部と、を備え、前記天気情報入力部により受け付けられた第２天気情報が前記天気情報取得部により取得された前記第１天気情報と異なる場合、前記スキンケア情報作成部は、前記天気情報入力部により入力された前記第２天気情報に基づいて、前記スキンケア情報の内容を変更することが好ましい。
【００１３】
本発明は、所定の情報を報知可能な報知部と、肌に関する情報を取得する情報取得部と、前記情報取得部により取得された肌に関する情報から肌の状態を解析可能な肌状態解析部と、前記肌状態解析部により解析された肌の状態についての肌情報を記憶する肌情報記憶部と、スケジュール情報を記憶するスケジュール情報記憶部と、前記スケジュール情報記憶部に記憶されるスケジュール情報に含まれる所定のイベント情報を選択する選択部と、前記選択部により選択された前記所定のイベント情報までの期間に関する情報である期間情報を取得する期間情報取得部と、前記肌情報記憶部に記憶される前記肌情報と、前記期間情報取得部により取得された前記期間情報とに基づいて、スキンケア計画を含むスキンケア情報を作成するスキンケア情報作成部と、前記報知部に対して、前記スキンケア情報作成部により作成された前記スキンケア情報を報知させるスキンケア情報報知指示部と、を備える携帯電子機器に関する。
【００１４】
また、前記スキンケア情報作成部により前記スキンケア計画を含むスキンケア情報が作成された後、前記肌情報記憶部に新たな肌情報が記憶された場合、前記スキンケア情報作成部は、前記新たな肌情報と、前記期間情報とに基づいて、前記スキンケア計画を修正することが好ましい。
【００１５】
本発明は、取得した肌に関する情報から当該肌の状態を解析する肌状態解析部と、スケジュール情報を記憶する記憶部と、前記肌状態解析部により解析された肌の状態についての肌情報と、前記記憶部に記憶されたスケジュール情報に基づいて、スキンケア情報を作成するスキンケア情報作成部と、前記スキンケア情報作成部により作成されたスキンケア情報を報知する報知部と、を備えるシステムに関する。
【００１６】
本発明は、第１の端末と、前記第１の端末と通信可能な外部サーバと、を備えるシステムであって、前記第１の端末は、スキンケア情報を報知可能な報知部と、肌に関する情報を取得する情報取得部と、スケジュール情報を記憶するスケジュール情報記憶部と、を備え、前記第１の端末又は前記外部サーバのいずれかは、前記情報取得部により得られた肌に関する情報から肌の状態を解析可能な肌状態解析部を備え、前記外部サーバは、前記肌状態解析部により解析された肌の状態についての肌情報と前記スケジュール情報とに基づいて、スキンケア情報を作成するスキンケア情報作成部を備えるシステムに関する。
【発明の効果】
【００１７】
本発明は、肌表面の画像から解析された肌状態の情報に基づいて、スキンケア情報を報知可能な携帯電子機器を提供することを目的とする。
【図面の簡単な説明】
【００１８】
【図１】携帯電話機１を開いた状態における外観斜視図を示す。
【図２】携帯電話機１における回路構成を説明するブロック図である。
【図３】携帯電話機１における機能部の構成を説明するブロック図である。
【図４】表示部２１における一表示態様を説明する図である。
【図５】表示部２１における一表示態様を説明する図である。
【図６】表示部２１における一表示態様を説明する図である。
【図７】携帯電話機１の動作を説明するフロー図である。
【図８】携帯電話機１の動作を説明するフロー図である。
【図９】携帯電話機１の動作を説明するフロー図である。
【図１０】携帯電話機１の動作を説明するフロー図である。
【図１１】システムＳにおける機能部の構成を説明するブロック図である。
【発明を実施するための形態】
【００１９】
以下、図面を参照して本発明を実施するための最良の形態を説明する。
まず、図１により、携帯電話機１における基本構造を説明する。図１は、携帯電話機１を開いた状態における外観斜視図を示す。
【００２０】
図１に示すように、携帯電話機１は、筐体としての操作部側筐体２と、表示部側筐体３と、を備える。操作部側筐体２と表示部側筐体３とは、ヒンジ機構を備える連結部４を介して開閉可能に連結される。具体的には、操作部側筐体２の上端部と表示部側筐体３の下端部とは、連結部４を介して連結される。これにより、携帯電話機１は、ヒンジ機構を介して連結された操作部側筐体２と表示部側筐体３とを相対的に動かすことが可能に構成される。つまり、携帯電話機１は、操作部側筐体２と表示部側筐体３とが開いた状態（開状態）と、操作部側筐体２と表示部側筐体３とが折り畳まれた状態（閉状態）とにすることができる。ここで、閉状態とは、両筐体が互いに重なるように配置された状態であり、開状態とは、両筐体が互いに重ならないように配置された状態をいう。
【００２１】
操作部側筐体２は、外面がフロントケース２ａとリアケース２ｂとにより構成される。操作部側筐体２は、フロントケース２ａ側において、入力手段としての操作キー群１１と、携帯電話機１の使用者が通話時に発した音声が入力されるマイク１２とがそれぞれ露出するように構成される。
【００２２】
操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う操作部材としての決定操作キー１５とにより構成される。操作キー群１１を構成する各キーそれぞれには、操作部側筐体２と表示部側筐体３との開閉状態や各種モードや起動されているアプリケーション等の種類に応じて所定の機能が割り当てられる（キー・アサイン）。そして、使用者が各キーを押圧することにより、各キーに割り当てられている機能に応じた動作が実行される。
【００２３】
マイク１２は、操作部側筐体２の長手方向における連結部４側と反対の外端部側に配置される。つまり、マイク１２は、携帯電話機１が開状態において一方の外端部側に配置される。
【００２４】
操作部側筐体２における一方側の側面には、外部機器（例えば、ホスト装置）と通信を行うためのインターフェース（図示せず）が配置される。操作部側筐体２の他方側の側面には、所定の機能が割り当てられているサイドキーと、外部メモリの挿入及び取り出しが行われるインターフェース（図示せず）とが配置される。インターフェースは、キャップにより覆われている。各インターフェースは、不使用時にはキャップにより覆われる。
【００２５】
表示部側筐体３は、外面がフロントケース３ａと、リアケース３ｄとにより構成される。表示部側筐体３におけるフロントケース３ｂには、各種情報を表示するための表示部２１と、通話の相手側の音声を出力するレシーバとしてのスピーカ２２と、情報取得部としてのカメラ部３０とが露出するように配置される。
表示部２１は、液晶パネルと、この液晶パネルを駆動する駆動回路と、この液晶パネルの背面側から光を照射するバックライト等の光源部とから構成される。
カメラ部３０は、表示部側筐体３における連結部４側と反対の端部側に配置される。カメラ部３０は、所定の被写体の画像を撮像可能に配置される。カメラ部３０は、人体の肌表面の画像を撮像可能に構成される。
【００２６】
続けて、図２により、携帯電話機１の回路構成について説明する。
図２は、携帯電話機１における回路構成を説明するブロック図である。
図２に示すように、携帯電話機１は、操作部側筐体２に配置される無線通信部２００と、操作部１０１と、マイク１２と、ＬＣＤ制御部４２と、音声処理部４３と、メモリ４４と、ＣＰＵ４５と、電源部４６と、制御ＩＣ４７と、タイマー３２と、加速度センサ３４と、表示部側筐体３に配置される報知部としての表示部２１と、報知部としてのスピーカ２２と、ドライバＩＣ２５と、カメラ部３０と、を備える。
【００２７】
無線通信部２００は、所定の使用周波数帯により外部装置と通信を行うアンテナ部９０と、変調処理又は復調処理等の信号処理を行う通信処理部２０１と、を備える。
【００２８】
アンテナ部９０は、所定の使用周波数帯（例えば、８００ＭＨｚ）で基地局と通信を行う。アンテナ部９０は、所定の使用周波数帯で基地局を含む通信網Ｎを介して他の通信端末や不図示のサーバと通信を行う。
【００２９】
アンテナ部９０は、例えば、不図示のＷｅｂサイトから所定の情報を受信可能に構成される。また、アンテナ部９０は、ＧＰＳ（Ｇｌｏｂａｌ  Ｐｏｓｉｔｉｏｎｉｎｇ  Ｓｙｓｔｅｍ）機能により、携帯電話機１における位置情報を受信可能に構成される。また、アンテナ部９０は、所定地域における現在又は所定時間後における天気情報を受信可能である。また、アンテナ部９０は、携帯電話機１から所定範囲内に位置する所定の化粧料を販売している店舗の情報等を含む店舗情報を受信可能に構成される。
【００３０】
なお、本実施形態では、所定の使用周波数帯として、８００ＭＨｚとしたが、他の周波数帯であってもよい。また、アンテナ部９０は、所定の使用周波数帯（第１の使用周波数帯）のほかに、第２の使用周波数帯（例えば、２ＧＨｚ）に対応できる、いわゆるデュアルバンド対応型による構成であってもよいし、更に、第３の使用周波数帯にも対応できる複数バンド対応型により構成されていてもよい。
【００３１】
通信処理部２０１は、所定の機能部から供給された信号を変調処理しアンテナ部９０を介して基地局に送信すると共に、アンテナ部９０により受信された信号を復調処理し所定の機能部に供給する。例えば、通信処理部２０１は、アンテナ部９０により受信した各種情報を復調処理しＣＰＵ（例えば、各種機能部）に供給する。また、通信処理部２０１により復号処理された信号（情報）は、メモリ４４における所定の領域に保存される。
【００３２】
操作部１０１は、操作キー群１１を含んで構成される。操作部１０１は、入力文字列を入力可能に構成される。ここで、文字列は、１又は複数の記号、数字、英字、ひらがな、カタカナ、漢字や外国語を構成する文字等により構成される。また、本実施形態において、決定操作キー１５により、カメラ部３０における撮像条件の調整や撮像指示（情報取得の指示）を行うことができる。
【００３３】
ＬＣＤ制御部４２は、ＣＰＵ４５の制御にしたがって、入力された画像情報に対して所定の画像処理を行うと共に、画像処理された画像情報をドライバＩＣ２５に出力する。ドライバＩＣ２５は、ＬＣＤ制御部４２から入力された画像情報をフレームメモリに蓄えると共に、該フレームメモリに蓄えられた画像情報を所定のタイミングで表示部２１に出力する。
【００３４】
表示部２１は、ドライバＩＣ２５から入力されたデータに基づいて、所定の文字や画像を表示する。表示部２１は、後述の通り、取得された肌表面の画像や、所定の情報を表示可能に構成される。
【００３５】
メモリ４４は、所定のデータを記憶する。メモリ４４は、後述する肌画像記憶部１６０と、肌情報記憶部１６２と、スケジュール情報記憶部１６４、スキンケア情報記憶部１６６と、スキンケア補助情報記憶部１６８と、基準位置情報記憶部１７０と、天気情報記憶部１７２と、店舗情報記憶部１７４と、を含んで構成される。メモリ４４については、後に詳述する。
【００３６】
ＣＰＵ４５は、携帯電話機１の全体を制御する。ＣＰＵ４５は、特に、無線通信部２００と、ＬＣＤ制御部４２と、音声処理部４３に対して所定の制御を行う。また、ＣＰＵ４５は、後述する機能部としての肌状態解析部１２０と、スキンケア情報作成部１２２と、スキンケア情報報知指示部１２４と、時間情報取得部１２６と、位置情報取得部１２８と、移動情報取得部１３０と、検知部１３２と、位置判定部１３４と、天気情報取得部１３６と、店舗情報取得部１３８と、店舗情報報知指示部１４０と、天気情報入力部１４２と、選択部１４４と、期間情報取得部１４６とを含んで構成される。ＣＰＵ４５については、後に詳述する。
【００３７】
音声処理部４３は、ＣＰＵ４５の制御にしたがって、通信処理部２０１から供給された信号に対して所定の音声処理を行うと共に、音声処理された信号をスピーカ２２に出力する。スピーカ２２は、音声処理部４３から供給された信号に基づいて外部に放音（出力）する。また、音声処理部４３は、ＣＰＵ４５の制御にしたがって、マイク１２から入力された信号に対して所定の処理をすると共に、処理された信号を通信処理部２０１に出力する。通信処理部２０１は、音声処理部４３から入力された信号に所定の処理を行うと共に、処理がされた信号をアンテナ部９０に出力する。
【００３８】
電源部４６は、バッテリ８０を有して構成される。バッテリ８０は、所定容量を有するリチウムイオン電池である。制御ＩＣ４７は、電源部４６から供給される電源電圧を所定の電源電圧に変換し、変換後の電源電圧を携帯電話機１における各部（例えば、ＣＰＵ４５等）に供給する。
【００３９】
タイマー３２は、計時機能を有し、時間情報を出力可能に構成される。タイマー３２は、ＣＰＵ４５を構成する機能部としての時間情報取得部１２６等に対し、時間情報を出力可能に構成される。
【００４０】
加速度センサ３４は、加速度を計測する。加速度センサ３４は、計測した加速度情報を出力可能に構成される。加速度センサ３４は、ＣＰＵ４５を構成する機能部としての移動情報取得部１３０等に対し、加速度情報を出力可能に構成される。
【００４１】
カメラ部３０は、不図示のレンズと、レンズにより結像された画像を撮像するＣＣＤとを有して構成される。カメラ部３０は、近接した被写体を撮像可能に構成される。具体的には、カメラ部３０は、近接した肌表面を撮像可能に構成される。
【００４２】
続けて、図３から図６により、携帯電話機１における機能部の構成について説明する。図３は、携帯電話機１における機能部の構成を説明するブロック図である。図４は、表示部２１における一表示態様を説明する図である。図５は、表示部２１における一表示態様を説明する図である。図６は、表示部２１における一表示態様を説明する図である。
【００４３】
図３に示すように、携帯電話機１は、無線通信部２００と、カメラ部３０と、タイマー３２と、加速度センサ３４と、操作部１０１と、ＣＰＵ４５に含まれる機能部としての肌状態解析部１２０と、スキンケア情報作成部１２２と、スキンケア情報報知指示部１２４と、時間情報取得部１２６と、位置情報取得部１２８と、移動情報取得部１３０と、検知部１３２と、位置判定部１３４と、天気情報取得部１３６と、店舗情報取得部１３８と、店舗情報報知指示部１４０と、天気情報入力部１４２と、選択部１４４と、期間情報取得部１４６と、メモリ４４に含まれる機能部としての肌画像記憶部１６０と、肌情報記憶部１６２と、スケジュール情報記憶部１６４、スキンケア情報記憶部１６６と、スキンケア補助情報記憶部１６８と、基準位置情報記憶部１７０と、天気情報記憶部１７２と、店舗情報記憶部１７４と、表示部２１と、スピーカ２２と、を備える。
【００４４】
無線通信部２００は、不図示のサーバ等から所定の情報を受信可能に構成される。無線通信部２００は、後述する位置情報や、天気情報や、店舗情報等を受信可能に構成される。
【００４５】
カメラ部３０は、人体における肌表面の画像を撮像可能に構成される。カメラ部３０は、例えば顔の肌表面や、手足の肌表面の画像を撮像可能に構成される。カメラ部３０により撮像された画像は、ＣＰＵ４５やメモリ４４に出力される。
【００４６】
タイマー３２は、時間情報を出力可能に構成される。タイマー３２は、ＣＰＵ４５を構成する機能部としての時間情報取得部１２６に対し時間情報を出力する。
【００４７】
加速度センサ３４は、加速度情報を出力可能に構成される。加速度センサ３４は、ＣＰＵ４５を構成する機能部としての移動情報取得部１３０に対し時間情報を出力する。
【００４８】
メモリ４４は、肌画像記憶部１６０と、肌情報記憶部１６２と、スケジュール情報記憶部１６４、スキンケア情報記憶部１６６と、スキンケア補助情報記憶部１６８と、基準位置情報記憶部１７０と、天気情報記憶部１７２と、店舗情報記憶部１７４と、を有する。
【００４９】
肌画像記憶部１６０は、カメラ部３０により撮像された肌表面の画像に関する肌画像情報を記憶する。肌画像記憶部１６０に記憶される肌画像情報は、後述する肌状態解析部１２０により利用される。また、肌画像記憶部１６０に記憶される肌画像情報は、表示部２１により肌表面の画像を表示するために利用される。
【００５０】
肌情報記憶部１６２は、後述する肌状態解析部１２０により解析された肌の状態に関する肌情報を記憶する。肌情報は、例えば、肌におけるキメの細かさ、ツヤ、角質の状態等についての解析結果を含む。肌情報記憶部１６２に記憶される肌情報は、スキンケア情報作成部１２２により、スキンケアのアドバイスやスケジュール等を作成するために利用される。
【００５１】
スケジュール情報記憶部１６４は、ユーザのスケジュール情報を記憶する。スケジュール情報としては、例えば、遠方への出張や旅行、その日程、交通手段等、イベントの情報等が含まれる。ここで、イベント情報は、所定の予定をイベントとしてユーザが適宜選択してもよく、所定種類の予定が予めイベント情報として選択されるようにしてもよい。
【００５２】
スキンケア情報記憶部１６６は、スキンケア情報作成部１２２により作成されたスキンケア情報を記憶する。ここで、スキンケアとは、マッサージや、化粧水・乳液等の化粧品を使用した肌の手入れ等をいう。
スキンケア情報記憶部１６６は、スキンケアに関するアドバイスや、所定のイベントに向けてのスキンケア計画や、スキンケアに使用される化粧料に関する情報等を記憶する。
また、スキンケア情報記憶部１６６は、アドバイス等のスキンケア情報を報知部としての表示部２１やスピーカ２２に報知させるタイミングに関する情報（時間情報）等を併せて記憶する。
【００５３】
スキンケア情報記憶部１６６は、スキンケア計画記憶部１６７ａを含み、更に化粧料情報記憶部１６７ｂを含んでもよい。
スキンケア計画記憶部１６７ａは、スキンケア情報作成部１２２により作成された所定イベントに向けてのスキンケア計画に関する情報を記憶する。
化粧料情報記憶部１６７ｂは、スキンケアに利用される化粧料に関する情報を記憶する。化粧料情報記憶部１６７ｂは、肌の状態に応じた化粧の種類や、具体的な商品名等の情報を記憶する。
【００５４】
スキンケア補助情報記憶部１６８は、スキンケア情報作成部１２２により作成されたスキンケア補助情報を記憶する。スキンケア補助情報は、ユーザが長時間乗り物に乗っている最中に報知すべき情報や、報知させるべきタイミングに関する情報（時間情報）を含む。スキンケア補助情報記憶部１６８は、例えば、ユーザが飛行機等の気圧が低く長期間搭乗した状態が継続する場合におけるアドバイス情報や、報知のタイミングに関する情報（例えば、１時間ごとに報知させる）を含む。
【００５５】
基準位置情報記憶部１７０は、設定された基準位置に関する基準位置情報を記憶する。基準位置は、ユーザが設定可能であり、例えば、自宅や勤務先を設定することができる。基準位置として自宅が設定された場合、基準位置情報記憶部１７０は、自宅の位置情報等の情報を記憶する。
【００５６】
天気情報記憶部１７２は、天気情報取得部１３６により取得された所定地域の天気情報を記憶する。天気情報記憶部１７２は、指定された地域における所定日時の天気予報に関する情報を記憶する。
【００５７】
店舗情報記憶部１７４は、店舗情報取得部１３８により取得された店舗情報を記憶する。店舗情報記憶部１７４は、所定地域における化粧料を販売している店舗の情報を記憶する。店舗情報記憶部１７４は、所定地域における所定の化粧料を販売している店舗の名称や位置情報を含む店舗情報を記憶する。
【００５８】
ＣＰＵ４５は、肌状態解析部１２０と、スキンケア情報作成部１２２と、スキンケア情報報知指示部１２４と、時間情報取得部１２６と、位置情報取得部１２８と、移動情報取得部１３０と、検知部１３２と、位置判定部１３４と、天気情報取得部１３６と、店舗情報取得部１３８と、店舗情報報知指示部１４０と、天気情報入力部１４２と、選択部１４４と、期間情報取得部１４６と、有する。
【００５９】
肌状態解析部１２０は、肌画像記憶部１６０に記憶される肌表面の画像に関する画像情報に基づいて、肌の状態を解析する。肌状態解析部１２０は、肌表面の画像情報に基づいて、肌の状態を解析し、解析結果の情報を肌情報として肌情報記憶部１６２に出力する。肌状態解析部１２０は、例えば、肌におけるキメの細かさ、ツヤ、角質の状態等についての解析結果を含む肌情報を出力する。
【００６０】
スキンケア情報作成部１２２は、肌情報記憶部１６２に記憶される肌情報と、スケジュール情報記憶部に記憶されるスケジュール情報とに基づいて、スキンケア情報を作成する。スキンケア情報作成部１２２は、肌の状態とユーザのスケジュールとに鑑みて、スキンケア情報を作成する。スキンケア情報作成部１２２は、スケジュール情報に現時点から所定時間内に移動を伴う出張が含まれ、後述する検知部１３２により所定の移動装置上に配置されていることが検知された場合、スキンケア情報を補助するスキンケア補助情報を作成する。具体的には、スキンケア情報作成部１２２は、スケジュール情報に現時点から所定時間内に基準位置から所定距離以上だけ離れた場所への出張が含まれ、検知部１３２により飛行機上や新幹線等の換気が難しい場所に配置されていることが検知された場合、スキンケア情報を補助する補助情報を作成する。
【００６１】
スキンケア情報作成部１２２は、肌情報記憶部１６２に記憶される肌情報と、後述する位置情報取得部１２８により取得される位置情報と、時間情報取得部１２６により取得された時間情報とに基づいて、スキンケア情報を作成する。スキンケア情報作成部１２２は、場所と時間とに応じたスキンケア情報を作成する。スキンケア情報作成部１２２は、例えば、早朝においてユーザが自宅にいる場合に行うべきスキンケアに関するスキンケア情報を作成する。
【００６２】
スキンケア情報作成部１２２は、肌情報と、位置情報と、時間情報とに加え、スケジュール情報記憶部１６４に記憶されたスケジュール情報における肌情報の取得後から所定時間内に対応するスケジュール情報とに基づいて前記スキンケア情報を作成する。スキンケア情報作成部１２２は、場所と時間とに加え、ユーザにおけるその後のスケジュールに応じたスキンケア情報を作成する。スキンケア情報作成部１２２は、例えば、早朝においてユーザが自宅にいる場合、その後に何らかの予定が入っているか否かに応じてスキンケア情報を作成する。スキンケア情報作成部１２２は、早朝においてユーザが自宅におり、その後に予定が入っている場合、短時間でできるスキンケアに関する情報を作成する。スキンケア情報作成部１２２は、その後の予定が詰まっている場合には、短時間でできるスキンケアに関する情報を作成し、予定が詰まっていない場合には、通常や時間をかけてよいスキンケアに関する情報を作成する。
【００６３】
スキンケア情報作成部１２２は、後述する天気情報取得部１３６により取得された第１天気情報に基づいて、化粧料情報を含むスキンケア情報を作成する。スキンケア情報作成部１２２は、天気（天気予報）に応じたスキンケア情報を作成する。スキンケア情報作成部１２２は、例えば、天気予報の内容に応じた化粧料に関する情報や、化粧料の使用方法や、使用するタイミング等の情報を作成する。スキンケア情報作成部１２２は、例えば、天気予報の内容が晴れである場合、紫外線を防ぐ化粧料の情報や、化粧料をいつ使用するかの情報等を含むスキンケア情報を作成する。
【００６４】
スキンケア情報作成部１２２は、後述する天気情報入力部１４２により入力された第２天気情報（現実の天気）が天気情報取得部１３６により取得された第１天気情報（天気予報）と異なる場合、第２天気情報（現実の天気）に基づいて、スキンケア情報の内容を変更する。スキンケア情報作成部１２２は、例えば、天気予報に基づいて前日に作成したスキンケア情報を、入力された現実の天気に関する情報に基づいて修正する。スキンケア情報作成部１２２は、例えば、出張の前日に天気予報に基づいて作成したスキンケア情報を、当日入力された天気情報に基づいて修正する。この場合、前日作成したスキンケア情報に含まれる化粧料情報に基づいて化粧料を準備したユーザは、出張先において変更されたスキンケア情報に含まれる化粧料情報を携帯していない可能性がある。ここで、変更された化粧料情報にのみ含まれる化粧料が販売されている店舗情報を併せて表示部２１に表示させることもできる。
【００６５】
スキンケア情報作成部１２２は、肌情報記憶部１６２に記憶される肌情報と、後述する期間情報取得部１４６により取得された期間情報とに基づいて、スキンケア計画を含むスキンケア情報を作成する。スキンケア情報作成部１２２は、スケジュール情報に含まれる所定のイベント（例えば、結婚式、入学式、卒業式や入社式等）までの期間に基づいて、現状の肌状態を改善するスキンケア計画を作成する。スキンケア情報作成部１２２は、イベントの重要性によりスキンケア計画の内容を調整する。
【００６６】
また、スキンケア情報作成部１２２は、スキンケア計画が作成された後、肌情報記憶部１６２に新たな肌情報が記憶された場合、新たな肌情報と、残りの期間情報とに基づいて、スキンケア計画を修正する。スキンケア情報作成部１２２は、肌情報が更新されるごとにスキンケア計画を修正する。スキンケア情報作成部１２２は、カメラ部３０等の情報取得部により肌表面の肌画像等の肌に関する情報が取得されるごとにスキンケア計画を修正する。
【００６７】
スキンケア情報報知指示部１２４は、報知部としての表示部２１やスピーカ２２に対して、スキンケア情報作成部１２２により作成されたスキンケア情報を報知させる。スキンケア情報報知指示部１２４は、時間情報取得部１２６により取得された情報に基づいて、所定のタイミングで表示部２１やスピーカ２２にスキンケア情報を報知させる。
【００６８】
スキンケア情報報知指示部１２４は、検知部１３２により所定の移動装置上に配置されていることが検知された場合、スキンケア情報を補助するスキンケア補助情報に基づいて表示部２１やスピーカ２２に報知させる。スキンケア情報報知指示部１２４は、例えば、検知部１３２により飛行機に乗っていると判定された場合、所定のタイミングでこまめに所定の化粧料を使用させる等の補助情報を表示部２１に表示させることができる。
【００６９】
時間情報取得部１２６は、タイマー３２からの情報に基づいて時間情報を取得する。時間情報取得部１２６により取得された情報は、各種機能部へ出力される。
【００７０】
位置情報取得部１２８は、携帯電話機１における位置情報や所定位置における位置情報を取得する。位置情報取得部１２８は、ＧＰＳ機能を利用して携帯電話機１における位置情報を取得する。また、位置情報取得部１２８は、無線通信部２００を介して外部から所定位置における位置情報を取得する。位置情報取得部１２８は、例えば、出張先の位置情報を取得する。位置情報取得部１２８により取得された位置情報は、位置判定部１３４を含む複数の機能部に出力される。
【００７１】
移動情報取得部１３０は、加速度センサ３４からの情報に基づいて、移動状態に関する情報を取得する。移動情報取得部１３０は、移動速度等の移動情報を取得する。移動情報取得部１３０により取得された移動情報は、検知部１３２を含む複数の機能部に出力される。
【００７２】
検知部１３２は、位置情報及び／又は移動情報に基づいて、携帯電話機１が所定の移動装置上に配置されていることを検知する。検知部１３２は、例えば、位置情報及び移動情報により、携帯電話機１が所持したユーザが飛行機に搭乗していることを検知する。
【００７３】
位置判定部１３４は、基準位置情報記憶部１７０に記憶される基準位置情報と、位置情報取得部１２８により取得された位置情報とを比較して、取得された位置情報により特定される第１位置が基準位置情報により特定される基準位置であるか否かを判定する。位置判定部１３４は、例えば、第１位置としての現在位置が基準位置としての自宅や職場であるか否かを判定する。
【００７４】
天気情報取得部１３６は、第１位置を含む所定地域の第１天気情報を取得可能である。ここで、第１天気情報は、現状の天気状況に関する情報だけでなく、天気予報情報を含むものである。天気情報取得部１３６は、例えば、出張先の天気予報情報を取得可能である。
【００７５】
店舗情報取得部１３８は、位置判定部１３４により第１位置が基準位置とは異なると判定された場合、第１位置の位置情報と、スキンケア情報に含まれる化粧料情報とに基づいて、所定の店舗情報を取得可能である。店舗情報取得部１３８は、例えば、所定の化粧料を販売している店舗であって出張先の近くにある店舗に関する店舗情報を取得可能である。ここで、所定の化粧料は、例えば、当日の場所や天気状態に基づいて有効な化粧料として提示された化粧料のうち、前日に必要な化粧料として提示されていない化粧料である。
【００７６】
店舗情報報知指示部１４０は、表示部２１やスピーカ２２に対して、店舗情報取得部１３８により取得された店舗情報を報知させる。店舗情報報知指示部１４０は、表示部２１やスピーカ２２に対して、例えば、当日の場所や天気状態に基づいて有効な化粧料として提示された化粧料のうち、前日に必要な化粧料として提示されていない化粧料を販売している店舗の情報を報知させる。
【００７７】
天気情報入力部１４２は、天気情報を受け付け可能である。天気情報入力部１４２は、操作部１０１から入力された天気情報を受け付ける。天気情報入力部１４２は、例えば、操作部１０１から入力された入力時における位置（現在地）や指定された位置における天気情報を受け付け可能である。
【００７８】
選択部１４４は、スケジュール情報記憶部１６４に記憶されるスケジュール情報に含まれる所定のイベント情報を選択する。選択部１４４は、例えば、スケジュール情報に含まれる卒業式、結婚式や入社式等のイベント情報を選択する。選択部１４４は、所定のイベント情報を自動的に選択するよう構成されていてもよく、ユーザからの指示に基づいて所定のイベント情報を選択するように構成してもよい。
【００７９】
期間情報取得部１４６は、選択部１４４により選択された所定のイベント情報までの期間に関する情報である期間情報を取得する。期間情報取得部１４６は、取得した期間情報をスキンケア情報作成部１２２に出力する。
【００８０】
操作部１０１は、数字や文字等を含む所定の文字列を入力可能に構成される。また、操作部１０１は、カメラ部３０における撮像条件や、撮像画像を決定する指示を受け付けることができる。また、操作部１０１は、ＣＰＵ４５を構成する所定の機能部に対して所定の指示をすることができる。
【００８１】
図４から図６に示すように、表示部２１は、カメラ部３０により撮像された肌表面の画像を表示可能に構成される。また、表示部２１は、肌情報や、スケジュール情報や、化粧料情報を含むスキンケア情報や、位置情報や、基準位置情報や、天気情報や、店舗情報等を表示可能に構成される。表示部２１は、上述の情報をユーザに報知することができる。
【００８２】
表示部２１は、スキンケア情報記憶部１６６に記憶されるスキンケア情報を所定のタイミングで表示可能に構成される。また、表示部２１は、スキンケア情報記憶部１６６に含まれるスキンケア計画記憶部１６７ａに記憶されるスキンケア計画情報を所定のタイミングで表示可能に構成される。また、表示部２１は、スキンケア情報記憶部１６６に含まれる化粧料情報記憶部１６７ｂに記憶される化粧料情報を所定のタイミングで表示可能に構成される。
【００８３】
スピーカ２２は、肌情報や、スケジュール情報や、化粧料情報を含むスキンケア情報や、スキンケア補助情報や、位置情報や、基準位置情報や、天気情報や、店舗情報等を音声として出力可能に構成される。スピーカ２２は、上述の情報をユーザに報知することができる。
【００８４】
特に、スピーカ２２は、スキンケア情報記憶部１６６に記憶されるスキンケア情報を所定のタイミングで音声として出力可能に構成される。また、スピーカ２２は、スキンケア情報記憶部１６６に含まれるスキンケア計画記憶部１６７ａに記憶されるスキンケア計画情報を所定のタイミングで音声として出力可能に構成される。また、スピーカ２２は、スキンケア情報記憶部１６６に含まれる化粧料情報記憶部１６７ｂに記憶される化粧料情報を所定のタイミングで音声として出力可能に構成される。
【００８５】
続けて、図７から図１１により、電子メールを受信した場合における携帯電話機１の動作について説明する。図７は、携帯電話機１の動作を説明するフロー図である。図８は、携帯電話機１の動作を説明するフロー図である。図９は、携帯電話機１の動作を説明するフロー図である。図１０は、携帯電話機１の動作を説明するフロー図である。
【００８６】
図７に示すように、まず、ユーザは、カメラ部３０により、自分の肌表面（例えば、顔や手の甲）の画像を撮像する（ＳＴ１）。カメラ部３０により撮像された肌表面の画像情報は、肌画像記憶部１６０に記憶される。そして、肌状態解析部１２０は、肌情報記憶部１６２に記憶される肌表面の画像情報に基づいて、肌表面の状態を解析する。肌状態解析部１２０により解析された肌表面の状態についての肌情報は、肌情報記憶部１６２に記憶される。
【００８７】
次いで、スキンケア情報作成部１２２は、肌情報記憶部１６２に記憶される肌情報に基づいて、化粧料情報や手入れの仕方の情報を含むスキンケア情報を作成する（ＳＴ２）。
続けて、移動情報取得部１３０は、加速度センサ３４から移動情報を取得する（ＳＴ３）。
【００８８】
検知部１３２により、スケジュール情報記憶部１６４に記憶されるスケジュール情報に現時点から所定時間内に基準位置から所定距離以上だけ離れた場所への出張が含まれるか判定される（ＳＴ４）。
【００８９】
そして、スケジュール情報に出張が含まれる場合（ＳＴ４、ＹＥＳ）、検知部１３２は、更に、移動情報に基づいて携帯電話機１が所定の移動装置（例えば、飛行機や新幹線）上に配置されているか否かを判定（検知）する（ＳＴ５）。
【００９０】
ここで、検知部１３２によりスケジュール情報に出張が含まれないと判定された場合（ＳＴ４、ＮＯ）、スキンケア情報報知指示部１２４は、図４に示すように、スキンケア情報を表示部２１に表示させる（ＳＴ８）。
また、検知部１３２により携帯電話機１が所定の移動装置上にないと判定（検知）された場合（ＳＴ５、ＮＯ）、スキンケア情報報知指示部１２４は、図４に示すように、スキンケア情報を表示部２１に表示させる（ＳＴ８）。
【００９１】
検知部１３２により携帯電話機１が所定の移動装置上に配置されていることが検知された場合（ＳＴ５、ＹＥＳ）、スキンケア情報作成部１２２は、上述のスキンケア情報における全部又は一部を所定間隔で表示させる旨の情報を含むスキンケア補助情報を作成する（ＳＴ６）。
【００９２】
スキンケア情報報知指示部１２４は、図５に示すように、所定の移動装置上に配置されていることが検知されている間、スキンケア補助情報に含まれる情報に基づいて所定間隔で定期的にスキンケア情報を表示部２１に表示させる（ＳＴ７）。
【００９３】
図８に示すように、まず、ユーザは、カメラ部３０により、自分の肌表面（例えば、顔や手の甲）の画像を撮像する（ＳＴ１００）。カメラ部３０により撮像された肌表面の画像情報は、肌画像記憶部１６０に記憶される。そして、肌状態解析部１２０は、肌情報記憶部１６２に記憶される肌表面の画像情報に基づいて、肌表面の状態を解析する。肌状態解析部１２０により解析された肌表面の状態についての肌情報は、肌情報記憶部１６２に記憶される。
【００９４】
次いで、選択部１４４は、スケジュール情報に卒業式、結婚式や入社式等の所定のイベント情報が含まれるか否かを判定する（ＳＴ１１０）。
スケジュール情報に所定のイベント情報が含まれる場合、選択部１４４は所定のイベント情報を選択する（ＳＴ１１０、ＹＥＳ）。
【００９５】
そして、選択部１４４により所定のイベント情報が選択された場合、期間情報取得部１４６は、選択された所定のイベント情報までの期間についての期間情報を取得する（ＳＴ１２０）。
【００９６】
続けて、スキンケア情報作成部１２２は、肌情報と、イベント情報の種類と、期間情報とに基づいて、スキンケア計画を作成する（ＳＴ１３０）。
スキンケア情報報知指示部１２４は、表示部２１にスキンケア計画を表示させる（ＳＴ１４０）。
【００９７】
また、続けて、スキンケア情報作成部１２２は、スキンケア計画と肌情報とに基づいて、現時点におけるスキンケア情報を作成する（ＳＴ１５０）。
そして、スキンケア情報報知指示部１２４は、図４に示すように、スキンケア情報を表示部２１に表示させる（ＳＴ１６０）。
【００９８】
ここで、スケジュール情報に所定のイベントが含まれない場合（ＳＴ１００、ＮＯ）、スキンケア情報作成部１２２は、肌情報に基づいて、化粧料情報や手入れの仕方の情報を含むスキンケア情報を作成する（ＳＴ２）。
【００９９】
図９に示すように、まず、ユーザは、カメラ部３０により、自分の肌表面（例えば、顔や手の甲）の画像を撮像する（ＳＴ２００）。カメラ部３０により撮像された肌表面の画像情報は、肌画像記憶部１６０に記憶される。そして、肌状態解析部１２０は、肌情報記憶部１６２に記憶される肌表面の画像情報に基づいて、肌表面の状態を解析する。肌状態解析部１２０により解析された肌表面の状態についての肌情報は、肌情報記憶部１６２に記憶される。
【０１００】
次いで、位置情報取得部１２８は、現時点における携帯電話機１の位置に関する位置情報を取得する（ＳＴ２１０）。
続けて、位置判定部１３４は、基準位置情報記憶部１７０に記憶される基準位置としての自宅における位置情報と、取得された位置情報とを比較する（ＳＴ２２０）。
【０１０１】
位置判定部１３４により、現時点での位置が自宅であると判定された場合（ＳＴ２２０、ＹＥＳ）、時間情報取得部１２６は、現時点での時間情報を取得する（ＳＴ２３０）。
スキンケア情報作成部１２２は、取得された現時点での時間情報により、現時点が早朝又は深夜であるか否かを判定する（ＳＴ２４０）。
【０１０２】
現時点が早朝又は深夜ではないと判定した場合（ＳＴ２４０、ＮＯ）、スキンケア情報作成部１２２は、更に、スケジュール情報に現時点から所定時間内に所定の予定があるか否かを判定する（ＳＴ２５０）。
【０１０３】
スケジュール情報に現時点から所定時間内に所定の予定がないと判定した場合（ＳＴ２５、ＮＯ）、スキンケア情報作成部１２２は、念入りなスキンケアを行うスキンケア情報を作成する（ＳＴ２６０）。
そして、スキンケア情報報知指示部１２４は、念入りなスキンケアを行うスキンケア情報を表示部２１に表示させる（ＳＴ２７０）。
【０１０４】
ここで、現時点での位置が自宅ではないと判定された場合（ＳＴ２２０、ＮＯ）、スキンケア情報作成部１２２は、短時間でできるスキンケアを行うスキンケア情報を作成する（ＳＴ２８０）。また、現時点が早朝又は深夜であると判定した場合（ＳＴ２４０、ＹＥＳ）、スキンケア情報作成部１２２は、短時間でできるスキンケアを行うスキンケア情報を作成する（ＳＴ２８０）。また、スケジュール情報に現時点から所定時間内に所定の予定があると判定した場合（ＳＴ２２０、ＹＥＳ）、スキンケア情報作成部１２２は、短時間でできるスキンケアを行うスキンケア情報を作成する（ＳＴ２８０）。
そして、スキンケア情報報知指示部１２４は、短時間でできるスキンケアを行うスキンケア情報を表示部２１に表示させる（ＳＴ２７０）。
【０１０５】
図１０に示すように、まず、ユーザは、カメラ部３０により、自分の肌表面（例えば、顔や手の甲）の画像を撮像する（ＳＴ３００）。カメラ部３０により撮像された肌表面の画像情報は、肌画像記憶部１６０に記憶される。そして、肌状態解析部１２０は、肌情報記憶部１６２に記憶される肌表面の画像情報に基づいて、肌表面の状態を解析する。肌状態解析部１２０により解析された肌表面の状態についての肌情報は、肌情報記憶部１６２に記憶される。
【０１０６】
次いで、位置情報取得部１２８は、スケジュール情報により出張先の位置情報を取得する（ＳＴ３１０）。
続けて、天気情報取得部１３６は、スケジュール情報における出張先の位置情報と日時情報とに基づいて、無線通信部２００を介して天気予報情報を取得する（ＳＴ３２０）。取得された天気予報情報は、天気情報記憶部１７２に記憶される。
【０１０７】
スキンケア情報作成部１２２は、肌情報と天気情報とに基づいて、出張当日に必要な化粧料についての情報や手入れの仕方の情報を含むスキンケア情報を作成する（ＳＴ３３０）。
【０１０８】
続けて、天気情報入力部１４２により、出張先における実際の天気に関する天気情報が入力される（ＳＴ３４０）。
スキンケア情報作成部１２２は、入力された実際の天気情報と、天気情報記憶部１７２に記憶される天気予報情報とを比較し、実際の天気と予想された天気とが一致するか否かを判定する（ＳＴ３５０）。
【０１０９】
実際の天気と予想された天気とが一致しない場合（ＳＴ３５０、ＮＯ）、スキンケア情報作成部１２２は、既に作成されたスキンケア情報を修正する（ＳＴ３６０）。
ここで、実際の天気と予想された天気とが一致する場合（ＳＴ３５０、ＹＥＳ）、スキンケア情報作成部１２２は、既に作成されたスキンケア情報を修正しない。
【０１１０】
そして、位置情報取得部１２８は、ＧＰＳ機能を利用して現時点での位置情報を取得する（ＳＴ３７０）。
店舗情報取得部１３８は、現時点における位置から所定範囲において、修正したスキンケア情報にあらたに追加された化粧料情報に対応する化粧料が販売される店舗に関する店舗情報を取得する（ＳＴ３８０）。
【０１１１】
続けて、スキンケア情報作成部１２２は、修正されたスキンケア情報を表示部２１に表示させる（ＳＴ３９０）。
【０１１２】
また、店舗情報報知指示部１４０は、図６に示すように、追加された化粧料が販売される店舗の位置を示す地図情報等を表示部２１に表示させる（ＳＴ３９５）。
【０１１３】
本実施形態によれば、携帯電話機１は、スケジュールに応じたスキンケア情報を報知することができる。
【０１１４】
また、本実施形態によれば、携帯電話機１は、肌への影響がある所定の移動装置（例えば、飛行機や新幹線）上に配置されている場合、所定のタイミングで肌情報を報知することができる。
【０１１５】
また、本実施形態によれば、携帯電話機１は、場所や時間に応じたスキンケア情報を報知することができる。
【０１１６】
また、本実施形態によれば、携帯電話機１は、天気を考慮したスキンケア情報を報知できる。また、携帯電話機１は、天気予報に基づいたスキンケア情報を報知することができる。また、携帯電話機１は、実際の天気が天気予報と異なる場合、スキンケア情報を修正することができる。ここで、修正されたスキンケア情報に追加された化粧料が販売される店舗であって現時点から所定距離内にある店舗を報知することができる。
【０１１７】
また、本実施形態によれば、携帯電話機１は、スケジュールに所定のイベントが含まれている場合、該イベントに向けたスキンケア計画を報知することができる。また、携帯電話機１は、継続的に解析された肌情報に基づいて、計画の進捗状況を確認すると共に、適宜スキンケア計画を修正することができる。
【０１１８】
以上、好適な実施形態について説明したが、本発明は上述した実施形態に限定されることなく種々の形態で実施することができる。例えば、本実施形態において、通信端末として携帯電話機１について説明しているが、これに限定されず、ＰＨＳ（登録商標；Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【０１１９】
また、本実施形態において、主に表示部２１による報知について説明しているが、これに限定されず、スピーカ２２により報知してもよい。この場合、例えば、ユーザが通常使用してない言語による情報については、通常使用している言語に翻訳した情報を音声で報知することができる。また、携帯電話機１が閉状態である場合や、画面が非表示状態の場合には、スピーカ２２により音声で所定情報を報知することもできる。
【０１２０】
また、上述の例では、肌に関する情報を取得する情報取得部の例として、カメラ部を用いた撮像診断を例に挙げたが、肌の情報を取得する情報取得部はこれに限られない。肌の情報を取得する取得部として、例えば、化粧品店で使用されている水分量を検出する水分量検出部（装置）や、油分量を検出する油分量検出部（装置）等であってもよい。携帯電話機１は、水部検出部や油分検出部を備えていてもよい。
【０１２１】
また、上述の例では、携帯電子機器としての携帯電話機１側で、スキンケア情報の作成等を行なっていたが、これに限られない。例えば、図１１に示すように、第１の端末としての携帯電話機１と、携帯電話機１との送受信が可能な外部サーバを備えるシステムＳであってもよい。即ち、携帯電話機１と、携帯電話機１と通信可能な外部サーバとを備えるシステムであって、携帯電話機１（第１の端末）は、スキンケア情報を報知可能な報知部と、肌に関する情報を取得する情報取得部と、スケジュール情報を記憶するスケジュール情報記憶部と、を備え、携帯電話機１（第１の端末）又は外部サーバ９００のいずれかは、情報取得部により得られた肌の情報から当該肌の状態を解析可能な肌状態解析部を備え、外部サーバ９００は、肌情報とスケジュール情報とに基づいて、スキンケア情報を作成するスキンケア情報作成部を備えるシステムＳであってもよい。
【０１２２】
以上、各実施形態にて詳述したように、携帯電子機器は、所定の情報を報知可能な報知部と、肌に関する情報を取得する情報取得部と、前記情報取得部により取得された肌に関する情報から肌の状態を解析可能な肌状態解析部と、前記肌状態解析部により解析された肌の状態についての肌情報を記憶する肌情報記憶部と、スケジュール情報を記憶するスケジュール情報記憶部と、前記肌情報記憶部に記憶される前記肌情報と、前記スケジュール情報記憶部に記憶される前記スケジュール情報とに基づいて、スキンケア情報を作成するスキンケア情報作成部と、前記報知部に対して、前記スキンケア情報作成部により作成された前記スキンケア情報を報知させるスキンケア情報報知指示部と、を備えているとよい。これにより、スキンケア情報を報知可能な携帯電子機器を提供できる。
【０１２３】
また、時間情報を取得可能な時間情報取得部と、を備え、前記スキンケア情報報知指示部は、前記時間情報取得部により取得された情報に基づいて、所定のタイミングで前記報知部に前記スキンケア情報を報知させることが好ましい。
【０１２４】
また、位置情報を取得可能な位置情報取得部、及び／又は、移動情報を取得可能な移動情報取得部と、前記位置情報取得部により取得された位置情報、及び／又は、前記移動情報取得部により取得された移動情報により、所定の移動装置上に配置されていることを検知可能な検知部と、を備え、前記検知部により前記所定の移動装置上に配置されていることが検知された場合、前記スキンケア情報作成部は、前記スキンケア情報を補助するスキンケア補助情報を作成し、前記スキンケア情報報知指示部は、前記報知部に前記スキンケア補助情報を報知させることが好ましい。
【０１２５】
また、携帯電子機器は、所定の情報を報知可能な報知部と、肌に関する情報を取得する情報取得部と、前記情報取得部により取得された肌に関する情報から肌の状態を解析可能な肌状態解析部と、前記肌状態解析部により解析された肌の状態についての肌情報を記憶する肌情報記憶部と、位置情報を取得可能な位置情報取得部と、時間情報を取得可能な時間情報取得部と、前記肌情報記憶部に記憶される前記肌情報と、前記位置情報取得部により取得される位置情報と、前記時間情報取得部により取得された時間情報とに基づいて、スキンケア情報を作成するスキンケア情報作成部と、前記報知部に対して、前記スキンケア情報作成部により作成された前記スキンケア情報を報知させるスキンケア情報報知指示部と、を備えていてもよい。
【０１２６】
また、スケジュール情報を記憶するスケジュール情報記憶部と、を備え、前記スキンケア情報作成部は、前記肌情報と、前記位置情報と、前記時間情報とに加え、前記スケジュール情報記憶部に記憶されたスケジュール情報における撮像後から所定時間内に対応するスケジュール情報と、に基づいて前記スキンケア情報を作成することが好ましい。
【０１２７】
また、携帯電子機器は、所定の情報を報知可能な報知部と、肌に関する情報を取得する情報取得部と、前記情報取得部により取得された肌に関する情報から肌の状態を解析可能な肌状態解析部と、前記肌状態解析部により解析された肌の状態についての肌情報を記憶する肌情報記憶部と、位置情報を取得可能な位置情報取得部と、基準位置情報を記憶する基準位置情報記憶部と、前記基準位置情報記憶部に記憶される基準位置情報と、前記位置情報取得部により取得された位置情報とを比較して、取得された位置情報により特定される第１位置が基準位置情報により特定される基準位置であるか否かを判定する位置判定部と、前記第１位置を含む所定地域の第１天気情報を取得可能な天気情報取得部と、前記天気情報取得部により取得された前記第１天気情報に基づいて、化粧料情報を含むスキンケア情報を作成するスキンケア情報作成部と、前記位置判定部により前記第１位置が前記基準位置とは異なると判定された場合、前記第１位置の位置情報と、前記スキンケア情報作成部により作成された前記スキンケア情報に含まれる前記化粧料情報と基づいて、所定の店舗情報を取得可能な店舗情報取得部と、前記報知部に対して、前記スキンケア情報作成部により作成された前記スキンケア情報を報知させるスキンケア情報報知指示部と、前記報知部に対して、前記店舗情報取得部により取得された前記店舗情報を報知させる店舗情報報知指示部と、を備えているとよい。
【０１２８】
また、天気情報の入力を受け付け可能な天気情報入力部と、を備え、前記天気情報入力部により受け付けられた第２天気情報が前記天気情報取得部により取得された前記第１天気情報と異なる場合、前記スキンケア情報作成部は、前記天気情報入力部により入力された前記第２天気情報に基づいて、前記スキンケア情報の内容を変更することが好ましい。
【０１２９】
携帯電子機器は、所定の情報を報知可能な報知部と、肌に関する情報を取得する情報取得部と、前記情報取得部により取得された肌に関する情報から肌の状態を解析可能な肌状態解析部と、前記肌状態解析部により解析された肌の状態についての肌情報を記憶する肌情報記憶部と、スケジュール情報を記憶するスケジュール情報記憶部と、前記スケジュール情報記憶部に記憶されるスケジュール情報に含まれる所定のイベント情報を選択する選択部と、前記選択部により選択された前記所定のイベント情報までの期間に関する情報である期間情報を取得する期間情報取得部と、前記肌情報記憶部に記憶される前記肌情報と、前記期間情報取得部により取得された前記期間情報とに基づいて、スキンケア計画を含むスキンケア情報を作成するスキンケア情報作成部と、前記報知部に対して、前記スキンケア情報作成部により作成された前記スキンケア情報を報知させるスキンケア情報報知指示部と、を備えていてもよい。
【０１３０】
また、前記スキンケア情報作成部により前記スキンケア計画を含むスキンケア情報が作成された後、前記肌情報記憶部に新たな肌情報が記憶された場合、前記スキンケア情報作成部は、前記新たな肌情報と、前記期間情報とに基づいて、前記スキンケア計画を修正することが好ましい。
【０１３１】
システムは、取得した肌に関する情報から当該肌の状態を解析する肌状態解析部と、スケジュール情報を記憶する記憶部と、前記肌状態解析部により解析された肌の状態についての肌情報と、前記記憶部に記憶されたスケジュール情報に基づいて、スキンケア情報を作成するスキンケア情報作成部と、前記スキンケア情報作成部により作成されたスキンケア情報を報知する報知部と、を備えてもよい。
【０１３２】
また、システムは、第１の端末と、前記第１の端末と通信可能な外部サーバと、を備えるシステムであって、前記第１の端末は、スキンケア情報を報知可能な報知部と、肌に関する情報を取得する情報取得部と、スケジュール情報を記憶するスケジュール情報記憶部と、を備え、前記第１の端末又は前記外部サーバのいずれかは、前記情報取得部により得られた肌に関する情報から肌の状態を解析可能な肌状態解析部を備え、前記外部サーバは、前記肌状態解析部により解析された肌の状態についての肌情報と前記スケジュール情報とに基づいて、スキンケア情報を作成するスキンケア情報作成部を備えていてもよい。
【符号の説明】
【０１３３】
１          携帯電話機
２          操作部側筐体
３          表示部側筐体
２１        表示部
３０        カメラ部
３２        タイマー
３４        加速度センサ
４４        メモリ
４５        ＣＰＵ
１０１      操作部（入力部）
１２０      肌状態解析部
１２２      スキンケア情報作成部
１２６      スキンケア情報報知指示部
１２８      位置情報取得部
１３０      移動情報取得部
１３２      検知部
１３４      位置判定部
１３６      天気情報取得部
１３８      店舗情報取得部
１４０      店舗情報報知指示部
１４２      天気情報入力部
１４４      選択部
１４６      期間情報取得部
１６０      肌画像記憶部
１６２      肌情報記憶部
１６４      スケジュール情報記憶部
１６６      スキンケア情報記憶部
１６７ａ    スキンケア計画記憶部
１６７ｂ    化粧料情報記憶部
１６８      スキンケア補助情報記憶部
１７０      基準位置情報記憶部
１７２      天気情報記憶部
１７４      店舗情報記憶部
２００      無線通信部
Ｓ          システム
【図１】
2010199756.tif 000003
【図２】
2010199756.tif 000004
【図３】
2010199756.tif 000005
【図４】
2010199756.tif 000006
【図５】
2010199756.tif 000007
【図６】
2010199756.tif 000008
【図７】
2010199756.tif 000009
【図８】
2010199756.tif 000010
【図９】
2010199756.tif 000011
【図１０】
2010199756.tif 000012
【図１１】
2010199756.tif 000013